(57)【要約】      （修正有）【課題】自立性を向上させ、下端部の開口幅を広く確保して、内容物を下端部から容易に充填することができるガゼット袋の提供。【解決手段】前後一対の平面部２と袋の内方に折り込まれた一対のガゼット側面部３とを有する袋本体部において、上端部４が閉塞され下端部５が開口しており、少なくとも袋の前側又は後ろ側のいずれかの側縁２ａ近傍の位置とこれと重なり合うガゼット側面部３の内面同士を接合した折り曲げ補助部６が形成されており、ガゼット側面部の折線３ａと平面部２の下端部を閉塞するための下端接合部５ａとの交点Ｘ１から対応する平面部の側縁２ａに向かって上方に延びる線分Ｂと、下端接合部５ａ上端に一致する線分Ａとがなす角度が３５〜５５°の範囲であり、折り曲げ補助部６が、上方に延びる線分Ｂとガゼット側面部の側縁２ａとの交点Ｘ２を含み、且つ下端接合部５ａに触れない位置に配置されていることを特徴とするガゼット袋１０１。【選択図】図２
2009248986.tif 000002
【特許請求の範囲】
【請求項１】
少なくとも袋の前側と後ろ側を構成する対向する一対の平面部と、折りひだ状に袋の内方に折り込まれた折線を備えた一対のガゼット側面部とを有する袋本体部において、当該袋本体部の上端部が閉塞され、下端部が開口しており、当該袋本体部には、少なくとも袋の前側又は後ろ側のいずれかの側縁近傍の位置と、当該側縁近傍の位置と重なり合う当該ガゼット側面部の内面同士を接合した、折り曲げ補助部が形成されており、
前記ガゼット側面部を内側に折り畳み、前記平面部と前記ガゼット側面部とを重ね合わせた時に、当該ガゼット側面部の折線と、当該平面部の下端部を閉塞するための下端接合部との交点から対応する当該平面部の側縁に向かって上方に延びる線分と、当該下端接合部上端に一致する線分とがなす角度が３５〜５５°の範囲であり、前記折り曲げ補助部が、当該上方に延びる線分と当該ガゼット側面部の側縁との交点を含み、且つ、下端接合部に触れない位置に配置されていることを特徴とする、ガゼット袋。
【請求項２】
前記袋本体部の上端部近傍に、当該上端部と平行にチャックを設けたことを特徴とする、請求項２に記載のガゼット袋。
【請求項３】
前記袋本体部の上端部に、注出入口を設けたことを特徴とする、請求項１又は２に記載のガゼット袋。
【請求項４】
少なくとも袋の前側と後ろ側を構成する対向する一対の平面部と、折りひだ状に袋の内方に折り込まれた折線を備えた一対のガゼット側面部とを有する袋本体部において、当該袋本体部の上端部及び下端部が閉塞され、当該袋本体部には、少なくとも袋の前側又は後ろ側のいずれかの側縁近傍の位置と、当該側縁近傍の位置と重なり合う当該ガゼット側面部の内面同士を接合した、折り曲げ補助部が形成されており、
前記ガゼット側面部を内側に折り畳み、前記平面部と前記ガゼット側面部とを重ね合わせた時に、当該ガゼット側面部の折線と、当該平面部の下端部を閉塞するための下端接合部との交点から対応する当該平面部の側縁に向かって上方に延びる線分と、当該下端接合部上端に一致する線分とがなす角度が３５〜５５°の範囲であり、前記折り曲げ補助部が、当該上方に延びる線分と当該ガゼット側面部の側縁との交点を含み、且つ、下端接合部に触れない位置に配置されており、前記袋本体部の内部に内容物が充填されていることを特徴とする、ガゼット袋。
【請求項５】
前記袋本体部の上端部近傍に当該上端部と平行にチャックを設け、又は前記袋本体部の上端部に注出入口を設けたことを特徴とする、請求項４に記載のガゼット袋。
【発明の詳細な説明】
【技術分野】
【０００１】
本発明は、内容物を充填させた際に、安定した自立性を有するガゼット袋に関する。
【背景技術】
【０００２】
従来、平坦な底面部を有しない包装袋として、袋の前側と後ろ側を構成する対向する一対の平面部と、折りひだ状に袋の内方に折り込まれた折線を備えた一対のガゼット側面部とを有し、当該ガゼット側面部が当該袋の下端部まで延びており、下端部がシールされたガゼット袋が知られている。当該ガゼット袋を用いた商品を店頭で販売する際、当該ガゼット袋の下端部をガゼット袋の下端部よりやや上方で一方に折り曲げ、内容物の重量を利用して平坦な底部を形成し、当該商品の陳列を行っている。
しかしながら、当該ガゼット袋の下端部には、底部を形成するための折り曲げのきっかけとなる部分がないため、折り曲げ位置が定まらず、当該ガゼット袋の下端部を一方に折り曲げても平坦な底部を形成し難くいという問題がある。特に、重量の軽い内容物を充填した場合には、当該ガゼット袋の底部は安定し難くい。
【０００３】
特許文献１には、対向する一対の平面部と、折りひだ状に形成されてその折り線が互いに対応するように内方に折り込まれた一対の側面部とを有し、当該平面部及び当該側面部により形成される四つの稜線の内面同士を熱融着して筒体が形成され、更に、当該筒体の上端縁及び下端縁を熱融着すると共に、熱融着された前記下端縁と熱融着された前記稜線とを結ぶように前記平面部と前記側面部の内面同士をそれぞれ熱融着して三角形状のシール部を形成されており、当該三角形状のヒートシール部において、少なくとも当該平面部又は当該側面部の一方に折り曲げ補助部が形成されたガゼット袋が開示されている。当該ガゼット袋の底部には、当該折り曲げ補助部の左右に延びる折り目が形成されており、この折り目に沿って、当該ガゼット袋の下端部を一方に折り曲げることで、平坦な底部を形成している。これにより、当該ガゼット袋は、高い自立性を確保している。
【０００４】
【特許文献１】特開２００４−１９６４１４号公報
【発明の開示】
【発明が解決しようとする課題】
【０００５】
内容物を充填する充填機の種類によって、ガゼット袋の上端部から充填を行う場合と、ガゼット袋の下端部から充填を行う場合がある。
内容物をガゼット袋の上端部から充填する充填機を用いる場合、下端部が閉塞され、上端部が開口しているガゼット袋を用い、当該ガゼット袋の上端部の開口から充填することで、内容物を容易に充填することができる。また、内容物をガゼット袋の下端部から充填する充填機を用いる場合、上端部が閉塞され、下端部が開口しているガゼット袋を用い、当該ガゼット袋の下端部の開口から充填することで、内容物を容易に充填することができる。
引用文献１に記載のガゼット袋では、当該ガゼット袋の自立性を向上させる目的で、内容物が収容される収容部の外側に三角形状のヒートシール部が形成されており、当該ガゼット袋の下端部の一部が熱融着されている。従って、内容物をガゼット袋の上端部から充填する場合、当該ガゼット袋の上端部を開口し、内容物を充填するための開口幅を広く確保することで、内容物を容易に充填することができる。しかしながら、内容物をガゼット袋の下端部から充填する場合、当該ガゼット袋の下端部は、その一部が熱融着されているため、内容物を充填するための開口幅を広く確保することができず、内容物の充填が難しい。
【０００６】
上記実情に鑑み、本発明は、ガゼット袋の自立性を向上させることができ、且つ、ガゼット袋の下端部から内容物を充填する場合でも、当該ガゼット袋の下端部の開口幅を広く確保して、内容物を容易に充填することができるガゼット袋を提供することを目的とする。
【課題を解決するための手段】
【０００７】
本発明者らは、鋭意検討の結果、ガゼット袋の側縁近傍の特定の位置に当該ガゼット袋の下端部を折り曲げて平坦面を容易に形成させる折り曲げ補助部を形成することにより、上記課題が解決されるという知見を見出し、本発明を完成させるに至った。
すなわち、本発明に係るガゼット袋は、少なくとも袋の前側と後ろ側を構成する対向する一対の平面部と、折りひだ状に袋の内方に折り込まれた折線を備えた一対のガゼット側面部とを有する袋本体部において、当該袋本体部の上端部が閉塞され、下端部が開口しており、当該袋本体部には、少なくとも袋の前側又は後ろ側のいずれかの側縁近傍の位置と、当該側縁近傍の位置と重なり合う当該ガゼット側面部の内面同士を接合した、折り曲げ補助部が形成されており、前記ガゼット側面部を内側に折り畳み、前記平面部と前記ガゼット側面部とを重ね合わせた時に、当該ガゼット側面部の折線と、当該平面部の下端部を閉塞するための下端接合部との交点から対応する当該平面部の側縁に向かって上方に延びる線分と、当該下端接合部上端に一致する線分とがなす角度が３５〜５５°の範囲であり、前記折り曲げ補助部が、当該上方に延びる線分と当該ガゼット側面部の側縁との交点を含み、且つ、下端接合部に触れない位置に配置されていることを特徴とする。
【０００８】
本発明によれば、前記ガゼット袋内に内容物を充填した際、前記袋本体部の側縁近傍の位置に折り曲げ補助部を形成することにより、当該折り曲げ補助部近傍は、前記ガゼット袋の平面部とガゼット側面部の開きが制限される。よって、ガゼット袋を自立させる際に、前記平面部の側縁と、前記下端接合部上端に一致する線分と、前記ガゼット側面部の折線と前記下端接合部との交点から対応する当該平面部の側縁に向かって上方に延びる線分と、により囲まれる三角形状の領域内に、内容物を侵入し難くすることができる。また、折り曲げ補助部が、折り曲げる際のきっかけとなるので、当該折り曲げ補助部での折り曲げが容易となり、当該折り曲げ補助部から下方を一方に折り曲げて安定した底部を形成しやすく、当該ガゼット袋の自立性を向上させることができる。また、当該ガゼット袋の自立性を向上させるために、前記三角形状の領域の全部、又は前記ガゼット側面部の折線と、前記下端接合部との交点から対応する当該平面部の側縁に向かって上方に延びる線分上において、前記平面部と前記ガゼット側面部の内面同士を接合する必要がなく、下端開口部を広く確保できる。下端が開口しているガゼット袋の場合、下端開口部から内容物を充填するため、大きい充填ノズルによる充填も可能となり、内容物を短時間で容易に充填することができる。
【０００９】
本発明におけるガゼット袋においては、前記袋本体部の上端部近傍に、当該上端部と平行にチャックを設け、再封止可能なガゼット袋としてもよい。
【００１０】
本発明におけるガゼット袋においては、前記袋本体部の上端部に、注出入口を設けてもよい。
【００１１】
本発明に係るガゼット袋は、少なくとも袋の前側と後ろ側を構成する対向する一対の平面部と、折りひだ状に袋の内方に折り込まれた折線を備えた一対のガゼット側面部とを有する袋本体部において、当該袋本体部の上端部及び下端部が閉塞され、当該袋本体部には、少なくとも袋の前側又は後ろ側のいずれかの側縁近傍の位置と、当該側縁近傍の位置と重なり合う当該ガゼット側面部の内面同士を接合した、折り曲げ補助部が形成されており、前記ガゼット側面部を内側に折り畳み、前記平面部と前記ガゼット側面部とを重ね合わせた時に、当該ガゼット側面部の折線と、当該平面部の下端部を閉塞するための下端接合部との交点から対応する当該平面部の側縁に向かって上方に延びる線分と、当該下端接合部上端に一致する線分とがなす角度が３５〜５５°の範囲であり、前記折り曲げ補助部が、当該上方に延びる線分と当該ガゼット側面部の側縁との交点を含み、且つ、下端接合部に触れない位置に配置されており、前記袋本体部の内部に内容物が充填されていることを特徴とする。
【００１２】
本発明によれば、前記袋本体部の側縁近傍の位置に折り曲げ補助部を形成することにより、当該折り曲げ補助部近傍は、前記ガゼット袋の平面部とガゼット側面部の開きが制限される。よって、ガゼット袋を自立させる際に、前記平面部の側縁と前記下端接合部上端に一致する線分と前記ガゼット側面部の折線と、前記下端接合部との交点から対応する当該平面部の側縁に向かって上方に延びる線分とにより囲まれる三角形状の領域内に、内容物を侵入し難くすることができる。また、折り曲げ補助部が、折り曲げる際のきっかけとなるので、当該折り曲げ補助部での折り曲げが容易となり、当該折り曲げ補助部から下方を一方に折り曲げて安定した底部を形成しやすく、当該ガゼット袋の自立性を向上させることができる。
【発明の効果】
【００１３】
本発明によれば、ガゼット袋の側縁近傍の位置に折り曲げ補助部を形成することにより、当該折り曲げ補助部から下方を一方に折り曲げて安定した底部を形成しやすく、当該ガゼット袋の自立性を向上させることができる。また、ガゼット袋の下端部から内容物を充填する場合でも、当該ガゼット袋の側縁近傍の位置に折り曲げ補助部を形成すことにより、当該ガゼット袋の下端部の開口幅を広く確保することができ、大きい充填ノズルによる充填も可能となり、内容物を短時間で容易に充填することができる。
【発明を実施するための最良の形態】
【００１４】
本発明のガゼット袋は、少なくとも袋の前側と後ろ側を構成する対向する一対の平面部と、折りひだ状に袋の内方に折り込まれた折線を備えた一対のガゼット側面部とを有する袋本体部において、当該袋本体部の上端部が閉塞され、下端部が開口しており、当該袋本体部には、少なくとも袋の前側又は後ろ側のいずれかの側縁近傍の位置と、当該側縁近傍の位置と重なり合う当該ガゼット側面部の内面同士を接合した、折り曲げ補助部が形成されており、
前記ガゼット側面部を内側に折り畳み、前記平面部と前記ガゼット側面部とを重ね合わせた時に、当該ガゼット側面部の折線と、当該平面部の下端部を閉塞するための下端接合部との交点から対応する当該平面部の側縁に向かって上方に延びる線分と、当該下端接合部上端に一致する線分とがなす角度が３５〜５５°の範囲であり、前記折り曲げ補助部が、当該上方に延びる線分と当該ガゼット側面部の側縁との交点を含み、且つ、下端接合部に触れない位置に配置されていることを特徴とする。
【００１５】
以下、本発明に係るガゼット袋について、図面を参照しつつ詳細に説明する。尚、以下に示す各図は、模式図であり、実寸とは異なるものである。
【００１６】
まず、本発明に係るガゼット袋の好適な実施形態のうちの第一の実施形態について、図１〜図５を用いて説明する。図１（Ａ）は、本発明に係るガゼット袋の一例を示す斜視図であり、図１（Ｂ）は、本発明に係るガゼット袋に内容物を充填した後の好適な実施形態のうちの第一の実施形態を示す図、図２は、図１（Ａ）に示すガゼット袋のガゼット側面部を内側に折り畳み、前記平面部と前記ガゼット側面部とを重ね合わせた状態を示す図、図３は、図２に示す折り曲げ補助部の拡大模式図、図４は、図２に示す折り曲げ補助部の具体的な形状を示す拡大模式図、図５は、図１（Ｂ）に示すガゼット袋を点線で折り曲げて底部を形成した状態を示す斜視図である。
【００１７】
図１（Ａ）に示すように、ガゼット袋１０１は、袋の前側と後ろ側を構成する対向する一対の平面部２，２と、折りひだ状に袋の内方に折り込まれた折線３ａを備えた一対のガゼット側面部３，３とを有する袋本体部１から構成される。
【００１８】
また、図１（Ｂ）に示すように、袋本体部１は、平面部２，２の側縁２ａ，２ａと、ガゼット側面部３，３の側縁３ｂ，３ｂとが接合されていると共に、袋本体部１の上端部４は、内方に折り込まれたガゼット側面部３，３を平面部２，２の側縁２ａ，２ａで挟み込むようにして平面部２，２の上端縁２ｂ，２ｂ、及びガゼット側面部３，３の上端部が接合され、袋本体部１の上端部４が閉塞されている。また、当該袋本体部１は、内方に折り込まれたガゼット側面部３，３を平面部２，２の両側の側縁２ａ，２ａで挟み込むようにして、平面部２，２の下端縁及びガゼット側面部３，３の下端縁が接合され、袋本体部１の下端部５が閉塞されている。更に、当該袋本体部１には、少なくとも平面部２，２の一方の側縁２ａ，２ａ近傍の位置と、当該側縁２ａ，２ａ近傍の位置と重なり合う当該ガゼット側面部３，３の内面同士が接合され、折り曲げ補助部６が形成されている。ガゼット袋１０１に内容物が充填された際、側縁２ａ，２ａ近傍の位置に折り曲げ補助部６を形成することにより、前記平面部２の側縁２ａと、前記下端接合部５ａ上端に一致する線分と、前記ガゼット側面部の折線と前記下端接合部との交点から対応する当該平面部の側縁２ａに向かって上方に延びる線分と、により囲まれる三角形状の領域内に、内容物が侵入し難くなるため、２つの折り曲げ補助部６，６の上端を結ぶ点線において、当該折り曲げ補助部６，６より下方を一方に容易に折り曲げることができる。これにより、図５に示すように、平坦な底部７を形成することができ、当該ガゼット袋１０１の自立性を向上させることができる。
また、当該折り曲げ補助部６を、平面部２，２の側縁２ａ，２ａ近傍、且つ下端接合部５ａに触れない位置の４箇所に形成することで、当該ガゼット袋１０１の自立性と共に保形性を向上させることができる。
【００１９】
袋本体部１を構成する一対の平面部２，２及び一対のガゼット側面部３，３は、包材フィルムにより形成される。包材フィルムとしては、特に限定されず、一般的に各種包装体に用いられているフィルムを用いることができ、通常、プラスチックを主体とする積層フィルムが用いられる。積層フィルムの層構成としては、例えば、外側から順に、基材層、中間層、最内層が積層した構成とすることができる。
【００２０】
基材層は、引張り強度、衝撃強度、耐擦傷性などの通常の用途において必要とされる総合的な機械的強度を有すると共に、接合する際の加熱に対する耐熱性などが必要である。また、必要に応じて、耐溶剤性、耐薬品性のほか、印刷適性やガスバリア性等の性能も要求される。基材層は、このような性能を有していれば、単層構造でも、複数の層が積層した多層構造であってもよく、例えば、ポリエチレンテレフタレート（ＰＥＴ）等の延伸ポリエステルフィルム、延伸ポリプロピレン（ＯＰＰ）、高密度ポリエチレン（ＨＤＰＥ）等の延伸ポリオレフィンフィルム、延伸ナイロン（ＯＮＹ）、エチレンビニルアルコール共重合体（ＥＶＯＨ）等の延伸フィルム及びこれらの延伸フィルムを積層したものを用いることができる。これらの延伸フィルムのガスバリア性や防湿性等を向上させるために、アルミニウム（Ａｌ）等の金属や酸化アルミニウム、酸化ケイ素等の無機酸化物を蒸着させたものや、ポリ塩化ビニリデン（ＰＶＤＣ）やポリアクリル酸系樹脂等をコーティング（バリアコート）したものも用いることができる。また、紙やセロファン等を用いることもできる。
基材層の厚さは特に限定されず、適宜設定すればよいが、通常、９〜３０μｍ程度の範囲内とすることが好ましい。
【００２１】
中間層は、積層フィルムの機械的強度、防湿性、ガスバリア性、或いは、ガゼット袋を開封する際のフィルムの引き裂き性等を向上させるために設けられるものであり、目的に応じて、適宜選択すればよい。また、中間層を設ける必要がない場合には設けなくてもよい。中間層は、単層構造でも、複数の層が積層した多層構造であってもよく、例えば、ＰＥＴ、ＯＰＰ、ＨＤＰＥ、ＯＮＹ、ＥＶＯＨ、ポリビニルアルコール、ＰＶＤＣ等のプラスチックや、Ａｌ箔、合金箔等の金属箔等を用いることができる。中間層として金属箔や印刷層を用いた場合や層間を接着する接着剤に顔料を加えた場合には、光遮断性を付与することができる。また、中間層として不織布、発泡フィルム等の断熱機能を有するフィルムを用いた場合には、耐熱性を付与することができる。更に、上記プラスチックフィルムにＡｌや、酸化ケイ素、酸化アルミニウム、セラミック等を蒸着させたものも使用できる。
ガゼット袋開封時のフィルムの引裂き性を向上させるためには、中間層に用いる延伸フィルムの延伸方向と当該ガゼット袋の開封方向とを一致させることによって、フィルムの引裂きの方向を安定化させることができる。
【００２２】
中間層の厚さは特に限定されず、適宜設定すればよいが、通常、６〜２５μｍ程度の範囲内とすることが好ましい。
【００２３】
最内層は、積層フィルムを用いてガゼット袋を成形する際に、重ね合わせた積層フィルムの内面同士が熱と圧力によって充分に接着することができる接着性が必要である。また、内容物と直接接触するため、衛生性及び内容物に対する耐性も要求される。
【００２４】
最内層は、単層構造であっても多層構造であってもよく、例えば、直鎖状低密度ポリエチレン（ＬＬＤＰＥ）、未延伸ポリプロピレン（ＣＰＰ）、低密度ポリエチレン（ＬＤＰＥ）、エチレン酢酸ビニルコポリマー（ＥＶＡ）、アイオノマー等を用いることができる。
最内層の厚さは特に限定されず、適宜設定すればよいが、通常、６０〜１２０μｍ程度の範囲内とすることが好ましい。
【００２５】
基材層、中間層、及び最内層を積層する方法は、公知の方法で、接着剤を用いたドライラミネーション法で貼り合わせて積層できるほか、熱接着性樹脂を押し出しラミネーション法で貼り合せて積層することもできる。
【００２６】
なお、袋本体部１を構成する一対の平面部２，２及び一対のガゼット側面部３，３に用いられる積層フィルムは、同じであってもよいし、それぞれ異なっていてもよい。
【００２７】
次に、上記袋本体部１において、上記折り曲げ補助部６が形成される位置、及び当該折り曲げ補助部６の大きさについて、図２及び図３を用いて説明する。
図２に示す、下端接合部５ａは、前記袋本体部１の内部に内容物を充填した後、当該平面部２の下端部５を閉塞するための接合部である。
上記折り曲げ補助部６は、当該下端接合部５ａと、当該ガゼット側面部の折線３ａとの交点Ｘ１から対応する当該平面部２の側縁２ａまで、当該下端接合部５ａの上端に一致する線分Ａと、当該交点Ｘ1から対応する当該平面部２の側縁２ａに向かって上方に延びる線分Ｂとがなす角度が３５〜５５°の範囲であり、当該線分Ｂと当該平面部２の側縁２ａとの交点Ｘ２を含み、且つ下端接合部５ａに触れない位置に形成される。
これにより、前記ガゼット袋１０１の内部に内容物を充填した際、折り曲げ補助部６近傍は、ガゼット袋の平面部とガゼット側面部の開きが制限されるため、当該平面部２の側縁２ａと当該線分Ａと当該線分Ｂにより囲まれる三角形状の領域内に、内容物を侵入し難くすることができ、当該折り曲げ補助部６から下方を一方に折り曲げて安定した底部を形成しやすく、当該ガゼット袋１０１の自立性を向上させることができる。また、当該ガゼット袋１０１の自立性を向上させるために、当該平面部２の側縁２ａと当該線分Ａと当該線分Ｂにより囲まれる三角形状の領域の全部又は当該線分Ｂの全長上において、前記平面部２と前記ガゼット側面部３の内面同士を接合する必要がないので、前記袋本体部１の下端部５の開口幅を広く確保することができる。従って、当該ガゼット袋１０１の下端部５から内容物を充填する場合でも、大きい充填ノズルによる充填も可能となり、内容物を短時間で容易に充填することができる。
【００２８】
また、上記ガゼット袋１０１の自立性を向上させる観点から、上記線分Ａと上記線分Ｂとがなす角度は、４０〜５０°であることが更に好ましい。
【００２９】
前記折り曲げ補助部６の水平方向の幅ｓは、特に制限はないが、前記ガゼット側面部３の幅に対して１５〜３０％であることが好ましく、更に、２０〜２５％であることが好ましい。当該折り曲げ補助部６の水平方向の幅ｓが、当該ガゼット側面部３の幅に対して１５％未満になると、平面部とガゼット側面部の開きは制限され難く、また、折り曲げのきっかけとなり難く、ガゼット袋を自立させる際に、上記三角形状の領域内に、内容物が侵入し難くなる効果が働かない。また、３０％超過になると、当該ガゼット袋１０１の下端部５から内容物を充填する場合に、当該下端部５の開口幅が狭くなるおそれがある。
また、当該折り曲げ補助部６の高さ方向の幅ｔは、特に制限はないが、当該折り曲げ補助部６の水平方向の幅ｓに対して１０〜３００％であることが好ましく、更に、５０〜１５０％であることが好ましい。当該折り曲げ補助部６の高さ方向の幅ｔが、当該折り曲げ補助部６の水平方向の幅ｓに対して１０％未満になると、折り曲げのきっかけとなり難く、３００％超過になると、当該ガゼット袋１０１の下端部５から内容物を充填する場合に、当該下端部５の開口幅が狭くなるおそれがある。
【００３０】
前記折り曲げ補助部６の水平方向の幅ｓは、前記ガゼット側面部３の幅に応じて変化する。従って、前記ガゼット袋１０１に、上記で特定した位置及び特定した範囲の大きさを有する折り曲げ補助部６を形成することにより、ガゼット袋の自立性を向上させることができる。また、当該ガゼット袋の開口幅を広く確保するのに適したガゼット袋の容量は、１００ｍＬ〜２Ｌである。
【００３１】
上記において、折り曲げ補助部６として二等辺三角形を用いて説明したが、上記三角形状の領域内に、内容物を侵入し難くし、折り曲げのきっかけとなり、且つ、前記ガゼット袋の下端開口幅を広く確保することが可能な限り、その形状は特に限定されない。当該折り曲げ補助部６の形状としては、例えば、図４（ａ）に示す四角形、図４（ｂ）に示す逆略コの字形状、図４（ｃ）に示す前記平面部２の側縁２ａから斜め下方に向かう直線等が挙げられる。
尚、上記二等辺三角形のように頂点を有する形状の場合、当該頂点に応力が集中することによって、ガゼット袋を損傷するおそれがあるため、図３に示すように、当該頂点を丸くすることが好ましい。
【００３２】
ガゼット袋１０１の内容物としては、例えば、粉体、液体等が挙げられる。当該内容物が粉体の場合、上記の平面部２の側縁２ａと線分Ａと線分Ｂにより囲まれる三角形状の領域内に、当該粉体を入り難くさせる効果が高い。
【００３３】
図６は、本発明に係るガゼット袋の好適な実施形態のうちの第二の実施形態である。
図６に示すガゼット袋１０１Ａは、袋本体部１の上端部４近傍に、当該上端部４と平行にチャック８が設けられている。当該チャック８は、互いに係合し合う一対の係合片（図示せず）から構成され、当該係合片は、上端部４の幅方向の一端から他端へと横断し、互いに係合し合うように位置合わせされて、対向する一対の平面部２，２の内面に接合される。
本発明に係るガゼット袋１０１Ａは、側縁近傍の位置に折り曲げ補助部６を形成することにより、袋本体部１の下端部５の開口幅を広く確保することができるため、大きな充填ノズルでの充填が可能となり、当該下端部５から内容物を短時間で容易に充填することができ、更に内容物充填後の自立性に優れる。また、当該ガゼット袋１０１Ａに、当該チャック８を設けることにより、上端部開封後の開口部を再閉鎖することができるため、繰り返し使用することができる。
【００３４】
チャック８の材質は特に限定されないが、平面部２を構成する包材フィルムの内面との接着性の観点から、通常は、包材フィルムである積層フィルムの最内面を形成する最内層と同じ材質で形成される。例えば、ポリプロピレン、ポリエチレン等のポリオレフィンの単層又は共押し出し樹脂等を用いることができる。チャック８は、包材フィルムの内面の所望の位置に、加熱加圧又は高周波等により熱融着することができる。
【００３５】
図７は、本発明に係るガゼット袋の好適な実施形態のうちの第三の実施形態である。
図７に示すガゼット袋１０１Ｂは、袋本体部１の上端部４に、注出入口９が設けられている。当該注出入口９は、注出入口形成部材１０と、キャップ１４から構成される。当該注出入口形成部材１０の上端には、当該キャップ１４に設けられたネジ溝と係合できるネジ山がその外周面に設けられており、当該キャップ１４と螺合することによって閉止される。
本発明に係るガゼット袋１０１Ｂは、側縁近傍の位置に折り曲げ補助部６を形成することにより、袋本体部１の下端部５の開口幅を広く確保することができるため、大きな充填ノズルでの充填が可能となり、当該下端部５から内容物を短時間で容易に充填することができ、更に内容物充填後の自立性に優れる。また、当該注出入口９を設けた当該ガゼット袋１０１Ｂは、内容物として、液体など流動性のあるものに使用される。
【００３６】
注出入口形成部材１０を形成する材質は特に限定されるものではないが、通常、注出入口形成部材１０は、その接合部１３を平面部２，２若しくは平面部２と側面部３を構成する包材フィルムの開口端に挟んだ状態で、包材フィルム同士の接合と同時に包材フィルム間に接合することによって、袋本体部１に固着されることから、包材フィルムとの接着性を有し、且つ、接合工程における加熱に対する耐熱性を有する材料によって形成される必要がある。そのため、一般的には、積層フィルムの最内層と同様のプラスチック材料によって形成される。尚、注出入口形成部材１０は、包材フィルムと接合部１３にて接着することが可能であれば、プラスチック以外の材料を用いた成形品でもよい。
【００３７】
次に、本発明のガゼット袋の製造方法について、一例として説明する。
【００３８】
まず、一対の平面部２，２を構成する矩形状に裁断された包材フィルム、一対のガゼット側面部３，３を構成する矩形状に裁断された包材フィルムを用意する。ガゼット側面部３，３を構成する包材フィルムには、その中央部にフィルムの長手方向に延びている折り線３ａを設け、包材フィルムを２つ折りにしておく。
【００３９】
次に、一対の平面部２，２を構成する包材フィルム、及び一対のガゼット側面部３，３を構成する包材フィルムを接合して、筒状の袋本体部１を形成する。また、一枚の矩形状フィルムの両端同士を接合して筒状にし、ガゼット部を折り込んで筒状の袋本体部１としてもよい。
当該袋本体部１を形成する工程では、ガゼット側面部３，３を構成する包材フィルムが袋本体部１の中心側に折り込まれるように折り線３ａを袋本体部１の内方に向けた状態に配置され、その両側縁３ｂ、３ｂが平面部２，２を構成する両包材フィルムの側縁２ａ，２ａと、それぞれ接合される。これにより両平面部２，２が対向し、且つ折り線３ａが内方を向くように折り込まれた一対のガゼット側面部３，３を有する筒状の袋本体部１が形成される。次いで、少なくとも平面部２，２の一方の面の側縁２ａ，２ａ近傍の位置と、当該側縁２ａ，２ａ近傍の位置と重なり合う当該ガゼット側面部３，３の内面同士を、当該平面部２，２の外側から、ヒートシールバーを押し当てて融着させることにより、所望の形状及び大きさの折り曲げ補助部６を形成する。
また、袋本体部１の上端部４は、内方に折り込まれたガゼット側面部３，３を平面部２，２の側縁２ａ，２ａで挟み込むようにして、平面部２，２の上端縁２ｂ，２ｂ及びガゼット側面部３，３の上端縁３ｃ，３ｃが接合され、袋本体部１の上端部４が閉塞される。
更に、当該ガゼット袋１０１の下端部５の開口部を充填機に取り付けて、内容物を充填した後、当該袋本体部１の下端部５は、内方に折り込まれたガゼット側面部３，３を平面部２，２の両側の側縁２ａ，２ａで挟み込むようにして、平面部２，２の下端縁及びガゼット側面部３，３の下端縁が接合され、袋本体部１の下端部５が閉塞される。
【００４０】
尚、本発明は、上記実施形態に限定されるものではない。上記実施形態は例示であり、本発明の特許請求の範囲に記載された技術的思想と実質的に同一の構成を有し、同様な作用効果を奏するものは、いかなるものであっても本発明の技術的範囲に包含される。
【図面の簡単な説明】
【００４１】
【図１（Ａ）】本発明に係るガゼット袋の一例を示す斜視図である。
【図１（Ｂ）】本発明に係るガゼット袋に内容物を充填した後の好適な実施形態の一例を示す斜視図である。
【図２】図１に示すガゼット袋のガゼット側面部を内側に折り畳み、前記平面部と前記ガゼット側面部とを重ね合わせた状態を示す平面図である。
【図３】図２に示す折り曲げ補助部の拡大模式図である。
【図４】図２に示す折り曲げ補助部の具体的な形状を示す拡大模式図である。
【図５】本発明に係るガゼット袋の一例を示す斜視図である。
【図６】本発明に係るガゼット袋の一例を示す斜視図である。
【図７】本発明に係るガゼット袋の一例を示す斜視図である。
【符号の説明】
【００４２】
１０１  ガゼット袋
１  袋本体部
２  平面部
２ａ  側縁
２ｂ  上端縁
３  ガゼット側面部
３ａ  折線
３ｂ  側縁
３ｃ  上端縁
４  上端部
５  下端部
５ａ  下端接合部
６  折り曲げ補助部
７  底部
８  チャック
９  注出入口
１０  注出入口形成部材
１４  キャップ
【図１（Ａ）】
2009248986.tif 000003
【図１（Ｂ）】
2009248986.tif 000004
【図２】
2009248986.tif 000005
【図３】
2009248986.tif 000006
【図４】
2009248986.tif 000007
【図５】
2009248986.tif 000008
【図６】
2009248986.tif 000009
【図７】
2009248986.tif 000010